(57)【特許請求の範囲】
【請求項１】
チャネル間の共存のために不十分な減衰を軽減するための方法であって、
アップリンクチャネル上での第１のユーザ機器による送信を、ダウンリンクチャネルを介してスケジュールする行為と、
前記第１のユーザ機器による前記送信のために使用されるアップリンク周波数帯域および第１の送信電力レベルが前記ダウンリンクチャネル上のダウンリンク周波数帯域に不十分な減衰を与えると判断する行為と、
十分な減衰を与えるために、前記アップリンクチャネルおよび前記ダウンリンクチャネルの一方の上での送信の前記スケジューリングを変更する行為と
を実施するために、コンピュータ可読記憶媒体上に記憶されたコンピュータ実行可能命令を実行するプロセッサを採用すること
を備える方法。
【請求項２】
第２のユーザ機器への干渉を備える前記不十分な減衰を判断することをさらに備える、請求項１に記載の方法。
【請求項３】
前記第１のユーザ機器への自己減感を備える前記不十分な減衰を判断することをさらに備える、請求項１に記載の方法。
【請求項４】
十分な減衰をもつ第２の周波数帯域を割り当てることによって前記送信の前記スケジューリングを変更することをさらに備える、請求項１に記載の方法。
【請求項５】
前記第１の送信電力レベルを第２の送信電力レベルに低減することによって前記送信の前記スケジューリングを変更することをさらに備える、請求項１に記載の方法。
【請求項６】
フィードバックリポートを受信することと、
前記フィードバックリポートに少なくとも部分的に基づいて干渉値を計算することとをさらに備える、請求項１に記載の方法。
【請求項７】
ダウンリンク基準電力値と、ダウンリンク基準品質値と、アップリンク送信電力値とを含んでいる前記フィードバックリポートを受信することをさらに備える、請求項６に記載の方法。
【請求項８】
基準信号受信電力情報と、基準信号受信品質情報と、アップリンク電力ヘッドルーム情報とを含んでいる前記フィードバックリポートを受信することをさらに備える、請求項６に記載の方法。
【請求項９】
総干渉値−熱雑音−前記フィードバックリポートによって示されるすべての基地局からの総干渉に基づいて許容自己干渉レベルにアクセスすることによって前記干渉値を計算することをさらに備える、請求項６に記載の方法。
【請求項１０】
前記第１のユーザ機器について、少なくとも１つのアップリンク割り当てパラメータに基づいて前記干渉値を計算することをさらに備え、自己干渉が前記アップリンクチャネルにわたって非一様である、請求項９に記載の方法。
【請求項１１】
開始リソースブロックと、前記第１のユーザ機器に割り当てられるリソースブロックの数と、前記第１のユーザ機器についての電力制御値とからなるグループから選択される前記少なくとも１つのアップリンク割り当てパラメータを判断することをさらに備える、請求項１０に記載の方法。
【請求項１２】
典型的な電力増幅器および典型的なデュプレクサアイソレーションについての値にアクセスすることによって、前記第１のユーザ機器についての自己干渉の一部分を推定することをさらに備える、請求項６に記載の方法。
【請求項１３】
チャネル間の共存のために不十分な減衰を軽減するためのコンピュータプログラムであって、
少なくとも１つのプロセッサによって実行されたとき、
アップリンクチャネル上での第１のユーザ機器による送信を、ダウンリンクチャネルを介してスケジュールするためのコードの第１のセットと、
前記第１のユーザ機器による前記送信のために使用されるアップリンク周波数帯域および第１の送信電力レベルが前記ダウンリンクチャネル上のダウンリンク周波数帯域に不十分な減衰を与えると判断するためのコードの第２のセットと、
十分な減衰を与えるために、前記アップリンクチャネルおよび前記ダウンリンクチャネルの一方の上での送信の前記スケジューリングを変更するためのコードの第３のセットとを備える構成要素を実装するコンピュータ実行可能命令
を備えるコンピュータプログラム。
【請求項１４】
チャネル間の共存のために不十分な減衰を軽減するための装置であって、
少なくとも１つのプロセッサと、
前記少なくとも１つのプロセッサによって実行されたとき、
アップリンクチャネル上での第１のユーザ機器による送信を、ダウンリンクチャネルを介してスケジュールするための手段と、
前記第１のユーザ機器による前記送信のために使用されるアップリンク周波数帯域および第１の送信電力レベルが前記ダウンリンクチャネル上のダウンリンク周波数帯域に不十分な減衰を与えると判断するための手段と、
十分な減衰を与えるために、前記アップリンクチャネルおよび前記ダウンリンクチャネルの一方の上での送信の前記スケジューリングを変更するための手段と
を備える構成要素を実装する、コンピュータ実行可能命令を記憶する少なくとも１つのコンピュータ可読記憶媒体と
を備える装置。
【請求項１５】
チャネル間の共存のために不十分な減衰を軽減するための装置であって、
送信機と、
受信機と、
アップリンクチャネル上で前記受信機によって受信される、第１のユーザ機器による送信を、ダウンリンクチャネル上で前記送信機を介してスケジュールするためのスケジューラと、
前記第１のユーザ機器による前記送信のために使用されるアップリンク周波数帯域および第１の送信電力レベルが前記ダウンリンクチャネル上のダウンリンク周波数帯域に不十分な減衰を与えると判断し、十分な減衰を与えるために、前記アップリンクチャネルおよび前記ダウンリンクチャネルの一方の上での送信の前記スケジューリングを変更するためのコンピューティングプラットフォームと
を備える装置。
【請求項１６】
前記コンピューティングプラットフォームがさらに、第２のユーザ機器への干渉を備える前記不十分な減衰を判断する、請求項１５に記載の装置。
【請求項１７】
前記コンピューティングプラットフォームがさらに、前記第１のユーザ機器への自己減感を備える前記不十分な減衰を判断する、請求項１５に記載の装置。
【請求項１８】
前記コンピューティングプラットフォームがさらに、十分な減衰をもつ第２の周波数帯域を割り当てることによって前記送信の前記スケジューリングを変更する、請求項１５に記載の装置。
【請求項１９】
前記コンピューティングプラットフォームがさらに、前記第１の送信電力レベルを第２の送信電力レベルに低減することによって前記送信の前記スケジューリングを変更する、請求項１５に記載の装置。
【請求項２０】
前記受信機がさらに、フィードバックリポートを受信し、
前記コンピューティングプラットフォームがさらに、前記フィードバックリポートに少なくとも部分的に基づいて干渉値を計算する、請求項１５に記載の装置。
【請求項２１】
前記受信機がさらに、ダウンリンク基準電力値と、ダウンリンク基準品質値と、アップリンク送信電力値とを含んでいる前記フィードバックリポートを受信する、請求項２０に記載の装置。
【請求項２２】
前記受信機がさらに、基準信号受信電力情報と、基準信号受信品質情報と、アップリンク電力ヘッドルーム情報とを含んでいる前記フィードバックリポートを受信する、請求項２０に記載の装置。
【請求項２３】
前記コンピューティングプラットフォームがさらに、総干渉値−熱雑音−前記フィードバックリポートによって示されるすべての基地局からの総干渉に基づいて許容自己干渉レベルにアクセスすることによって前記干渉値を計算する、請求項２０に記載の装置。
【請求項２４】
前記コンピューティングプラットフォームがさらに、前記第１のユーザ機器についての少なくとも１つのアップリンク割り当てパラメータに基づいて前記干渉値を計算し、自己干渉が前記アップリンクチャネルにわたって非一様である、請求項２３に記載の装置。
【請求項２５】
前記コンピューティングプラットフォームがさらに、開始リソースブロックと、前記第１のユーザ機器に割り当てられるリソースブロックの数と、前記第１のユーザ機器についての電力制御値とからなるグループから選択される前記少なくとも１つのアップリンク割り当てパラメータを判断する、請求項２４に記載の装置。
【請求項２６】
前記コンピューティングプラットフォームがさらに、典型的な電力増幅器および典型的なデュプレクサアイソレーションについての値にアクセスすることによって前記第１のユーザ機器についての自己干渉の一部を推定する、請求項２０に記載の装置。
【請求項２７】
チャネル間の共存のために不十分な減衰を軽減するための方法であって、
アップリンクチャネル上での第１のユーザ機器による送信をスケジュールするために、サービングノードからダウンリンクチャネルを受信する行為と、
自己干渉に関係する値を判断する行為と、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信する行為と、
前記アップリンクチャネルおよび前記ダウンリンクチャネルの一方の上での送信の前記スケジューリングの変更を受信する行為と、
前記変更に従って、前記アップリンクチャネル上で送信し、前記ダウンリンクチャネル上で受信する行為と
を実施するために、コンピュータ可読記憶媒体上に記憶されたコンピュータ実行可能命令を実行するプロセッサを採用すること
を備える方法。
【請求項２８】
前記第１のユーザ機器への自己減感を備える前記不十分な減衰を判断するための前記フィードバックリポートを送信することをさらに備える、請求項２７に記載の方法。
【請求項２９】
十分な減衰をもつ第２の周波数帯域上で送信することによって、前記変更に従って前記アップリンクチャネル上で送信することをさらに備える、請求項２７に記載の方法。
【請求項３０】
送信電力を低減することによって、前記変更に従って前記アップリンクチャネル上で送信することをさらに備える、請求項２７に記載の方法。
【請求項３１】
ダウンリンク基準電力値と、ダウンリンク基準品質値と、アップリンク送信電力値とを含んでいる前記フィードバックリポートを送信することをさらに備える、請求項２７に記載の方法。
【請求項３２】
基準信号受信電力情報と、基準信号受信品質情報と、アップリンク電力ヘッドルーム情報とを含んでいる前記フィードバックリポートを送信することをさらに備える、請求項３１に記載の方法。
【請求項３３】
チャネル間の共存のために不十分な減衰を軽減するためのコンピュータプログラムであって、
少なくとも１つのプロセッサによって実行されたとき、
アップリンクチャネル上での第１のユーザ機器による送信をスケジュールするために、サービングノードからダウンリンクチャネルを受信するためのコードの第１のセットと、
自己干渉に関係する値を判断するためのコードの第２のセットと、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信するためのコードの第３のセットと、
前記アップリンクチャネルおよび前記ダウンリンクチャネルの一方の上での送信の前記スケジューリングの変更を受信するためのコードの第４のセットと、
前記変更に従って、前記アップリンクチャネル上で送信し、前記ダウンリンクチャネル上で受信するためのコードの第５のセットと
を備える構成要素を実装するコンピュータ実行可能命令
を備えるコンピュータプログラム。
【請求項３４】
チャネル間の共存のために不十分な減衰を軽減するための装置であって、
少なくとも１つのプロセッサと、
前記少なくとも１つのプロセッサによって実行されたとき、
アップリンクチャネル上での第１のユーザ機器による送信をスケジュールするために、サービングノードからダウンリンクチャネルを受信するための手段と、
自己干渉に関係する値を判断するための手段と、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信するための手段と、
前記アップリンクチャネルおよび前記ダウンリンクチャネルの一方の上での送信の前記スケジューリングの変更を受信するための手段と、
前記変更に従って、前記アップリンクチャネル上で送信し、前記ダウンリンクチャネル上で受信するための手段と
を備える構成要素を実装する、コンピュータ実行可能命令を記憶する少なくとも１つのコンピュータ可読記憶媒体と
を備える装置。
【請求項３５】
チャネル間の共存のために不十分な減衰を軽減するための装置であって、
アップリンクチャネル上での第１のユーザ機器による送信をスケジュールするために、サービングノードからダウンリンクチャネルを受信するための受信機と、
自己干渉に関係する値を判断するためのコンピューティングプラットフォームと、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信するための送信機と
を備え、
前記受信機がさらに、前記アップリンクチャネルおよび前記ダウンリンクチャネルの一方の上での送信の前記スケジューリングの変更を受信し、
前記変更に従って、前記送信機がさらに、前記アップリンクチャネル上で送信し、前記受信機がさらに、前記ダウンリンクチャネル上で受信する、装置。
【請求項３６】
前記送信機がさらに、前記第１のユーザ機器への自己減感を備える前記不十分な減衰を判断するために前記フィードバックリポートを送信する、請求項３５に記載の装置。
【請求項３７】
前記送信機がさらに、十分な減衰をもつ第２の周波数帯域上で送信することによって、前記変更に従って前記アップリンクチャネル上で送信する、請求項３５に記載の装置。
【請求項３８】
前記送信機がさらに、送信電力を低減することによって、前記変更に従って前記アップリンクチャネル上で送信する、請求項３５に記載の装置。
【請求項３９】
前記送信機がさらに、ダウンリンク基準電力値と、ダウンリンク基準品質値と、アップリンク送信電力値とを含んでいる前記フィードバックリポートを送信する、請求項３５に記載の装置。
【請求項４０】
前記送信機がさらに、基準信号受信電力情報と、基準信号受信品質情報と、アップリンク電力ヘッドルーム情報とを含んでいる前記フィードバックリポートを送信する、請求項３９に記載の装置。
【請求項４１】
チャネル間の共存のために不十分な減衰を軽減するための方法であって、
第１のワイヤレスチャネル上でのユーザ機器による送信を制御する行為と、
前記ユーザ機器による前記送信のために使用される周波数帯域および送信電力が前記ユーザ機器によって受信される第２のワイヤレスチャネルに不十分である減衰を与えると判断する行為と、
前記ユーザ機器によって受信される前記第２のワイヤレスチャネルに対する前記減衰を増大させるために、前記第１のワイヤレスチャネル上での前記送信を変更する行為と
を、サービングノードにおいて実施するために、コンピュータ可読記憶媒体上に記憶されたコンピュータ実行可能命令を実行するプロセッサを採用すること
を備える方法。
【請求項４２】
ユーザ機器をスケジュールすることによって前記第１のワイヤレスチャネル上での前記送信を制御することをさらに備える、請求項４１に記載の方法。
【請求項４３】
前記ユーザ機器に許可を送信し、前記許可によって与えられた前記第１のワイヤレスチャネル上のリソースを前記ユーザ機器が使用することによって、前記第１のワイヤレスチャネル上での前記送信を制御することをさらに備える、請求項４１に記載の方法。
【請求項４４】
フィードバックリポートを受信することによって前記減衰を判断することをさらに備える、請求項４１に記載の方法。
【請求項４５】
アップリンクチャネルを備える前記第１のワイヤレスチャネル上での前記送信を制御することをさらに備える、請求項４１に記載の方法。
【請求項４６】
ダウンリンクチャネルを備える前記第１のワイヤレスチャネル上での前記送信を制御することをさらに備える、請求項４１に記載の方法。
【請求項４７】
第１のユーザ機器によって受信される前記第２のワイヤレスチャネルに対する前記減衰を増大させるために、前記第１のユーザ機器によって送信される前記第１のワイヤレスチャネル上での前記送信を変更することをさらに備える、請求項４１に記載の方法。
【請求項４８】
第２のユーザ機器によって受信される前記第２のワイヤレスチャネルに対する前記減衰を増大させるために、第１のユーザ機器によって送信される前記第１のワイヤレスチャネル上での前記送信を変更することをさらに備える、請求項４１に記載の方法。
【請求項４９】
チャネル間の共存のために不十分である減衰を軽減するためのコンピュータプログラムであって、
少なくとも１つのプロセッサによって実行されたとき、
第１のワイヤレスチャネル上でのユーザ機器による送信を制御するためのコードの第１のセットと、
前記ユーザ機器による前記送信のために使用される周波数帯域および送信電力が前記ユーザ機器によって受信される第２のワイヤレスチャネルに不十分である前記減衰を与えると、サービングノードによって判断するためのコードの第２のセットと、
前記ユーザ機器によって受信される前記第２のワイヤレスチャネルに対する前記減衰を増大させるために、前記サービングノードによって前記第１のワイヤレスチャネル上での前記送信を変更するためのコードの第３のセットと
を備える構成要素を実装するコンピュータ実行可能命令
を備えるコンピュータプログラム。
【請求項５０】
チャネル間の共存のために不十分な減衰を軽減するための装置であって、
少なくとも１つのプロセッサと、
前記少なくとも１つのプロセッサによって実行されたとき、
第１のワイヤレスチャネル上でのユーザ機器による送信を制御するための手段と、
前記ユーザ機器による前記送信のために使用される周波数帯域および送信電力が前記ユーザ機器によって受信される第２のワイヤレスチャネルに不十分である減衰を与えると、サービングノードによって判断するための手段と、
前記ユーザ機器によって受信される前記第２のワイヤレスチャネルに対する前記減衰を増大させるために、前記サービングノードによって前記第１のワイヤレスチャネル上での前記送信を変更するための手段と
を備える構成要素を実装するコンピュータ実行可能命令を記憶する少なくとも１つのコンピュータ可読記憶媒体と
を備える装置。
【請求項５１】
チャネル間の共存のために不十分である減衰を軽減するためのサービングノードであって、
第１のワイヤレスチャネル上でのユーザ機器による送信を制御するための送信機と、
前記ユーザ機器による前記送信のために使用される周波数帯域および送信電力が前記ユーザ機器によって受信される第２のワイヤレスチャネルに不十分である減衰を与えると判断するためのコンピューティングプラットフォームと
を備え、
前記送信機がさらに、前記ユーザ機器によって受信される前記第２のワイヤレスチャネルに対する前記減衰を増大させるために、前記第１のワイヤレスチャネル上での前記送信を変更する、サービングノード。
【請求項５２】
ユーザ機器をスケジュールすることによって前記第１のワイヤレスチャネル上での前記送信を制御するためのスケジューラをさらに備える、請求項５１に記載のサービングノード。
【請求項５３】
前記送信機がさらに、前記ユーザ機器に許可を送信して前記第１のワイヤレスチャネル上のリソースを使用することによって前記第１のワイヤレスチャネル上での前記送信を制御する、請求項５１に記載のサービングノード。
【請求項５４】
前記コンピューティングプラットフォームがさらに、フィードバックリポートを受信することによって、不十分である前記減衰を判断する、請求項５１に記載のサービングノード。
【請求項５５】
前記コンピューティングプラットフォームがさらに、アップリンクチャネルを備える前記第１のワイヤレスチャネル上での前記送信を制御する、請求項５１に記載のサービングノード。
【請求項５６】
前記コンピューティングプラットフォームがさらに、ダウンリンクチャネルを備える前記第１のワイヤレスチャネル上での前記送信を制御する、請求項５１に記載のサービングノード。
【請求項５７】
前記送信機がさらに、第１のユーザ機器によって受信される前記第２のワイヤレスチャネルに対する前記減衰を増大させるために、前記第１のユーザ機器によって送信される前記第１のワイヤレスチャネル上での前記送信を変更する、請求項５１に記載のサービングノード。
【請求項５８】
前記送信機がさらに、第２のユーザ機器によって受信される前記第２のワイヤレスチャネルに対する前記減衰を増大させるために、第１のユーザ機器によって送信される前記第１のワイヤレスチャネル上での前記送信を変更する、請求項５１に記載のサービングノード。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年１１月１０日に出願された「Power Headroom-Sensitive Scheduling」と題する仮出願第６１／１１２，９３６号の優先権を主張する。
【０００２】
本開示は、一般に通信に関し、より詳細には、ワイヤレス通信ネットワークにおいて不十分な減衰を軽減することに関する。
【背景技術】
【０００３】
３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）は、セルラー技術における大きな進歩を表し、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の自然進化としての、セルラー３Ｇサービスにおける次のステップの前進である。ＬＴＥは、最高５０メガビット毎秒（Ｍｂｐｓ）のアップリンク速度および最高１００Ｍｂｐｓのダウンリンク速度を提供し、セルラーネットワークに多くの技術的利益をもたらす。ＬＴＥは、次の１０年間に及ぶ、高速データおよびメディアトランスポートならびに大容量ボイスサポートのためのキャリアニーズを満たすように設計されている。帯域幅は、１．２５ＭＨｚから２０ＭＨｚまでスケーラブルである。これは、様々な帯域幅割り当てを有する様々なネットワーク事業者のニーズに適し、また、事業者がスペクトルに基づいて様々なサービスを提供することを可能にする。ＬＴＥはまた、３Ｇネットワーク中のスペクトル効率を改善し、キャリアが所与の帯域幅にわたってより多くのデータおよびボイスサービスを提供することを可能にすると予想される。ＬＴＥは、高速データ、マルチメディアユニキャストおよびマルチメディアブロードキャストサービスを包含する。
【０００４】
ＬＴＥ物理レイヤ（ＰＨＹ）は、拡張基地局（ｅノードＢ）とモバイルユーザ機器（ＵＥ）との間でデータと制御情報の両方を搬送する高効率な手段である。ＬＴＥ  ＰＨＹは、セルラー適用例にとって新しいいくつかの先進技術を採用する。これらは、直交周波数分割多重（ＯＦＤＭ）および多入力多出力（ＭＩＭＯ）データ送信を含む。さらに、ＬＴＥ  ＰＨＹは、ダウンリンク（ＤＬ）上では直交周波数分割多元接続（ＯＦＤＭＡ）を使用し、アップリンク（ＵＬ）上ではシングルキャリア周波数分割多元接続（ＳＣ−ＦＤＭＡ）を使用する。ＯＦＤＭＡは、指定された数のシンボル期間の間、複数のユーザとの間でサブキャリアごとにデータをダイレクトすることを可能にする。
【０００５】
したがって、時間、周波数、およびコーディングにおける直交性が干渉を最小限に抑えようとするような形で、無線リソースが使用される。いくつかの周波数帯域割り当ておよび負荷状態では、ワイヤレス送信／受信ユニットは、十分な減衰を与えるには近接しすぎているチャネルを送信および受信する必要があり得る。この状況に対処しようとして、共存（co-existence）を可能にし、自己減感（self-desensitization）を回避するために、システム帯域幅を制限することが提案されている。しかしながら、そのような制限は、より広い帯域割り当ての代わりに独立したキャリアを動作させることに関連するオーバーヘッドの増加とスケジューリング利得の低減とに起因する非効率をもたらす。
【発明の概要】
【０００６】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【０００７】
一態様では、アップリンクチャネル上での第１のユーザ機器による送信を、ダウンリンクチャネルを介してスケジュールする行為と、第１のユーザ機器による送信のために使用されるアップリンク周波数帯域および第１の送信電力レベルが、ダウンリンクチャネル上のダウンリンク周波数帯域に不十分な減衰を与えると判断する行為と、ダウンリンク周波数帯域に十分な減衰を与えるために、アップリンクチャネルおよびダウンリンクチャネルの一方の上での送信のスケジューリングを変更する行為とを実装するために、コンピュータ可読記憶媒体に記憶されたコンピュータ実行可能命令を実行するプロセッサを採用することによって、チャネル間の共存のために不十分な減衰を軽減するための方法が提供される。
【０００８】
別の態様では、チャネル間の共存のために不十分な減衰を軽減するためのコンピュータプログラム製品が提供される。少なくとも１つのコンピュータ可読記憶媒体は、少なくとも１つのプロセッサによって実行されたとき、以下の構成要素を実装するコンピュータ実行可能命令を記憶する。コードの第１のセットは、アップリンクチャネル上での第１のユーザ機器による送信を、ダウンリンクチャネルを介してスケジュールする。コードの第２のセットは、第１のユーザ機器による送信のために使用されるアップリンク周波数帯域および第１の送信電力レベルがダウンリンクチャネル上のダウンリンク周波数帯域に不十分な減衰を与えると判断する。コードの第３のセットは、ダウンリンク周波数帯域に十分な減衰を与えるために、アップリンクチャネルおよびダウンリンクチャネルの一方の上での送信のスケジューリングを変更する。
【０００９】
追加の態様では、チャネル間の共存のために不十分な減衰を軽減するための装置が提供される。少なくとも１つのコンピュータ可読記憶媒体は、少なくとも１つのプロセッサによって実行されたとき、以下の構成要素を実装するコンピュータ実行可能命令を記憶する。アップリンクチャネル上での第１のユーザ機器による送信を、ダウンリンクチャネルを介してスケジュールするための手段が提供される。第１のユーザ機器による送信のために使用されるアップリンク周波数帯域および第１の送信電力レベルがダウンリンクチャネル上のダウンリンク周波数帯域に不十分な減衰を与えると判断するための手段が提供される。ダウンリンク周波数帯域に十分な減衰を与えるために、アップリンクチャネルおよびダウンリンクチャネルの一方の上での送信のスケジューリングを変更するための手段が提供される。
【００１０】
別の追加の態様では、チャネル間の共存のために不十分な減衰を軽減するための装置が提供される。スケジューラは、アップリンクチャネル上で受信機によって受信される、第１のユーザ機器による送信を、ダウンリンクチャネル上で送信機を介してスケジュールする。コンピューティングプラットフォームは、第１のユーザ機器による送信のために使用されるアップリンク周波数帯域および第１の送信電力レベルがダウンリンクチャネル上のダウンリンク周波数帯域に不十分な減衰を与えると判断し、ダウンリンク周波数帯域に十分な減衰を与えるために、アップリンクチャネルおよびダウンリンクチャネルの一方の上での送信のスケジューリングを変更する。
【００１１】
さらなる態様では、以下の行為を実施するために、コンピュータ可読記憶媒体上に記憶されたコンピュータ実行可能命令を実行するプロセッサを採用することによって、チャネル間の共存のために不十分な減衰を軽減するための方法が提供される。アップリンクチャネル上での第１のユーザ機器による送信をスケジュールするために、サービングノードからダウンリンクチャネルを受信する。自己干渉に関係する値を判断する。サービングノードが、第１のユーザ機器による送信のために使用されるアップリンク周波数帯域および第１の送信電力レベルがダウンリンクチャネル上のダウンリンク周波数帯域に不十分な減衰を与えると判断するために、その値に基づいてフィードバックリポートを送信する。アップリンクチャネルおよびダウンリンクチャネルの一方の上での送信のスケジューリングが変更される。変更に従って、アップリンクチャネルを送信し、ダウンリンクチャネルを受信する。
【００１２】
さらなる一態様では、チャネル間の共存のために不十分な減衰を軽減するためのコンピュータプログラム製品が提供される。少なくとも１つのコンピュータ可読記憶媒体は、少なくとも１つのプロセッサによって実行されたとき、以下の構成要素を実装するコンピュータ実行可能命令を記憶する。コードの第１のセットは、アップリンクチャネル上での第１のユーザ機器による送信をスケジュールするために、サービングノードからダウンリンクチャネルを受信する。コードの第２のセットは、自己干渉に関係する値を判断する。コードの第３のセットは、サービングノードが、第１のユーザ機器による送信のために使用されるアップリンク周波数帯域および第１の送信電力レベルがダウンリンクチャネル上でダウンリンク周波数帯域に不十分な減衰を与えると判断するために、その値に基づいてフィードバックリポートを送信する。コードの第４のセットは、ダウンリンク周波数帯域に十分な減衰を与えるために、アップリンクチャネルおよびダウンリンクチャネルの一方の上での送信のスケジューリングの変更を受信する。コードの第５のセットは、変更に従って、アップリンクチャネル上で送信し、ダウンリンクチャネル上で受信する。
【００１３】
さらに別の態様では、チャネル間の共存のために不十分な減衰を軽減するための装置が提供される。少なくとも１つのコンピュータ可読記憶媒体は、少なくとも１つのプロセッサによって実行されたとき、以下の構成要素を実装するコンピュータ実行可能命令を記憶する。アップリンクチャネル上での第１のユーザ機器による送信をスケジュールするために、サービングノードからダウンリンクチャネルを受信するための手段が提供される。自己干渉に関係する値を判断するための手段が提供される。サービングノードが、第１のユーザ機器による送信のために使用されるアップリンク周波数帯域および第１の送信電力レベルがダウンリンクチャネル上でダウンリンク周波数帯域に不十分な減衰を与えると判断するために、その値に基づいてフィードバックリポートを送信するための手段が提供される。ダウンリンク周波数帯域に十分な減衰を与えるために、アップリンクチャネルおよびダウンリンクチャネルの一方の上での送信のスケジューリングの変更を受信するための手段が提供される。変更に従って、アップリンクチャネル上で送信し、ダウンリンクチャネル上で受信するための手段が提供される。
【００１４】
さらなる追加の態様では、チャネル間の共存のために不十分な減衰を軽減するための装置が提供される。受信機は、アップリンクチャネル上での第１のユーザ機器による送信をスケジュールするために、サービングノードからダウンリンクチャネルを受信する。コンピューティングプラットフォームは、自己干渉に関係する値を判断する。送信機は、サービングノードが、第１のユーザ機器による送信のために使用されるアップリンク周波数帯域および第１の送信電力レベルがダウンリンクチャネル上でダウンリンク周波数帯域に不十分な減衰を与えると判断するために、その値に基づいてフィードバックリポートを送信する。受信機は、ダウンリンク周波数帯域に十分な減衰を与えるために、アップリンクチャネルおよびダウンリンクチャネルの一方の上での送信のスケジューリングの変更を受信する。送信機は、変更に従って、アップリンクチャネル上で送信し、受信機はダウンリンクチャネル上で受信する。
【００１５】
さらに別の追加の態様では、以下の行為を実施するために、コンピュータ可読記憶媒体上に記憶されたコンピュータ実行可能命令を実行するプロセッサを採用することによって、チャネル間の共存のために不十分な減衰を軽減するための方法が提供される。第１のワイヤレスチャネル上での第１の送信を制御する。送信のために使用される周波数帯域および送信電力が第２のワイヤレスチャネルに不十分な減衰を与えると判断する。第２のワイヤレスチャネルに対する減衰を増大させるために、第１のワイヤレスチャネル上での送信を変更する。
【００１６】
またさらなる態様では、チャネル間の共存のために不十分な減衰を軽減するためのコンピュータプログラム製品が提供される。少なくとも１つのコンピュータ可読記憶媒体は、少なくとも１つのプロセッサによって実行されたとき、以下の構成要素を実装するコンピュータ実行可能命令を記憶する。コードの第１のセットは、第１のワイヤレスチャネル上での第１の送信を制御する。コードの第２のセットは、送信のために使用される周波数帯域および送信電力が第２のワイヤレスチャネルに不十分な減衰を与えると判断する。コードの第３のセットは、第２のワイヤレスチャネルに対する減衰を増大させるために、第１のワイヤレスチャネル上での送信を変更する。
【００１７】
一態様では、チャネル間の共存のために不十分な減衰を軽減するための装置が提供される。少なくとも１つのコンピュータ可読記憶媒体は、少なくとも１つのプロセッサによって実行されたとき、以下の構成要素を実装するコンピュータ実行可能命令を記憶する。第１のワイヤレスチャネル上での第１の送信を制御するための手段が提供される。送信のために使用される周波数帯域および送信電力が第２のワイヤレスチャネルに不十分な減衰を与えると判断するための手段が提供される。第２のワイヤレスチャネルに対する減衰を増大させるために、第１のワイヤレスチャネル上での送信を変更するための手段が提供される。
【００１８】
別の態様では、チャネル間の共存のために不十分な減衰を軽減するための装置が提供される。送信機は、第１のワイヤレスチャネル上での第１の送信を制御する。コンピューティングプラットフォームは、送信のために使用される周波数帯域および送信電力が第２のワイヤレスチャネルに不十分な減衰を与えると判断する。送信機は、第２のワイヤレスチャネルに対する減衰を増大させるために、第１のワイヤレスチャネル上での送信を変更する。
【００１９】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用でき得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００２０】
本開示の特徴、性質、および利点は、全体を通じて同様の参照符号が同様のものを指す図面とともに、以下に記載する詳細な説明を読めばより明らかになろう。
【図面の簡単な説明】
【００２１】
【図１】不十分な減衰を軽減する無線アクセスネットワークおよびユーザ機器のブロック図。
【図２】例示的なブロードバンド無線アクセスネットワークにおける不十分な減衰を軽減するための方法の流れ図。
【図３】マクロセル、フェムトセルおよびピコセルを備えるワイヤレス通信システムの図。
【図４】多元接続ワイヤレス通信システムの図。
【図５】多入力多出力（ＭＩＭＯ）通信システムの概略図。
【図６】サービングノードが不十分な減衰を軽減するための方法の流れ図。
【図７】ユーザ機器が不十分な減衰を軽減するための方法の流れ図。
【図８】不十分な減衰を軽減するための方法の流れ図。
【図９】ノード中に少なくとも部分的に組み込まれた、不十分な減衰を軽減するための電気的構成要素の論理グルーピングのブロック図。
【図１０】ユーザ機器中に少なくとも部分的に組み込まれた、不十分な減衰を軽減するための電気的構成要素の論理グルーピングのブロック図。
【図１１】不十分な減衰を軽減するための電気的構成要素の論理グルーピングのブロック図。
【図１２】サービングノードが不十分な減衰を軽減するための手段を有する装置のブロック図。
【図１３】ユーザ機器が不十分な減衰を軽減するための手段を有する装置のブロック図。
【図１４】不十分な減衰を軽減するための手段を有する装置のブロック図。
【発明を実施するための形態】
【００２２】
ユーザ機器（ＵＥ）は、サービング進化型ノードＢ（ｅＮＢ）にサービングセル基準信号受信電力および品質ならびにアップリンク電力ヘッドルーム情報を周期的にまたは非周期的に（たとえば、イベントトリガ型）リポートする。ｅＮＢは、フィードバックリポートとそれ自体の装荷とから、ＵＥが受ける現在の干渉レベルを計算する。自己干渉は周波数にわたって平坦ではないので、許容自己干渉レベルはダウンリンクスケジューリングに依存する。計算された干渉から、ｅＮＢはアップリンク割り当てパラメータを計算することができる。スケジューリング決定のシーケンスは、ダウンリンク割り当て、許容自己干渉の判断、およびアップリンク割り当て、または逆の順序であり得るか、あるいはダウンリンク割り当てとアップリンク割り当てとを一緒に判断することができる。共存要件を満たすために追加のスケジューリング制約を導出することができ、これは、電力ヘッドルームリポートのみから判断できる。それによって、不十分な減衰が存在するときに他のユーザ機器への干渉または自己干渉（自己減感）に対処するとともに、全システム帯域幅の展開をも可能にする。本発明は、周波数複信がない場合でも、隣接チャネル時分割複信（ＴＤＤ）共存に適用することを諒解されたい。さらに、本発明は、より大きい減衰を達成するために、アップリンクおよびダウンリンクのいずれかまたは両方をスケジュールする適用例を有する。
【００２３】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施でき得ることは明白であろう。他の例では、これらの態様の説明を円滑にするために、よく知られている構造およびデバイスをブロック図の形態で示す。
【００２４】
図１では、ワイヤレス通信システム１００は、スケジューラ１０４および進化型ノードＢ（ｅＮＢ）１０６として示される無線アクセスネットワーク（ＲＡＮ）１０２と、第１および第２のＵＥ１０８、１１０との間の高速パケットアクセスを与える。例示的な態様では、スケジューラ１０４は、サービングｅＮＢ１０６の送信機（Ｔｘ）１１２を介して、ｅＮＢ１０６の受信機（Ｒｘ）１１８によって受信されたアップリンク（ＵＬ）チャネル１１６上の周波数リソースを使用するようにダウンリンク（ＤＬ）チャネル１１４を介して第１および第２のＵＥ１０８、１１０をスケジュールした。アップリンク周波数リソースは、ＵＥ１０８、１１０のうちの少なくとも１つに不十分な減衰が与えられるように、このスケジューリングのためにｅＮＢ１０６によって使用される、ダウンリンク（ＤＬ）チャネル１１４の一部分に周波数が近接している。
【００２５】
一態様では、不十分な減衰は、自己干渉を引き起こし、それが自己減感を引き起こすことを意味する。たとえば、第１のダウンリンク許可または割当て１２０が第１のＵＥ１０８の受信機１２２によって受信される。この第１のダウンリンク許可または割当て１２０は、ＵＬチャネル１１６のＵＬ周波数帯域１２６に近接するＤＬチャネル１１４のＤＬ周波数帯域１２４を対象とする。このＵＬ周波数帯域１２６中のＵＬチャネル１１６上で送信機１３０を介して送信を行うために、第１のＵＥ１０８に第１のアップリンク許可１２８が与えられる。したがって、ＤＬ周波数帯域１２４に向けられた第１のＵＥ１０８の受信機１２２は、第１のＵＥ１０８からの干渉（自己減感）１３２を受けやすい。
【００２６】
別の態様では、不十分な減衰は、別のワイヤレス送信機／受信機ユニットへの干渉を引き起こすことを意味する。たとえば、ＵＬ周波数帯域１２６のための第２のアップリンク許可１３４が第２のＵＥ１１０の受信機１３６によって受信される。第２のＵＥ１１０が送信機１３８を使用して送信するとき、第１のＵＥ１０８の受信機１２２において干渉１４０が引き起こされる。
【００２７】
不十分な減衰の軽減では、各ＵＥ１０８、１１０は、周期的にまたは非周期的に（たとえば、イベントトリガ型）送信されるダウンリンクチャネルフィードバックリポート１４６を生成するそれぞれのコンピューティングプラットフォーム１４２、１４４を利用することができる。フィードバックリポート１４６は、それぞれのＵＥ１０８、１１０によって使用される送信電力（たとえば、ヘッドルーム）に関係することができる。代替的にまたは追加として、フィードバックリポート１４６は、ｅＮＢ１０６からのダウンリンクチャネル受信強度を示すことができる。代替的にまたは追加として、フィードバックリポート１４６は、チャネル品質（たとえば、他の基地局から受信した干渉信号の電力／位置）を示すことができる。
【００２８】
ｅＮＢ１０６は、ＵＥ１０８、１１０のスケジューリングおよび特性の推定値などに基づいて、不十分な減衰が存在することを判断するために、コンピューティングプラットフォーム１４８を利用することができる。代替的にまたは追加として、ｅＮＢ１０６は、不十分な減衰を判断するのを助けるため、または主にその判断の基準とするために、フィードバックリポート１４６を受信することができる。この判断に基づいて、ｅＮＢ１０６は、より低い送信電力値または変更された周波数帯域のいずれかをもつ別の許可１５０を送信するものとして示される、スケジューリングの変更を行うことができる。
【００２９】
例示的な態様では、ＬＴＥなどのブロードバンドシステムを使用するときの１つの問題は、既存の帯域の一部が十分な減衰を与えないことである。２つのタイプの問題が発生することがある。ダウンリンク（ＤＬ）帯域に最も近いアップリンク（ＵＬ）チャネルにおいて送信するユーザ機器（ＵＥ）の場合、一般的な−５０ｄＢｍ／ＭＨｚ共存要件は満たされない。ＵＥが最大電力で送信するとき、必要とされる減衰は約６０〜７０ｄＢである。最悪の場合、３５ｄＢ〜４５ｄＢデュプレクサ減衰を仮定すると、共存要件を満たすために、最大３５ｄＢ雑音減衰のレベルが依然として必要とされる。これを達成するために、二重間隙（duplex gap）は少なくともＵＥ送信帯域幅よりも大きくなければならない。この条件は、すべての場合に満たされるとは限らない。共存要件は他の帯域の受信周波数にも適用し、同様に、ＵＬ周波数と任意の他の帯域の受信周波数との間の周波数分離は少なくともＵＥ送信帯域幅よりも大きくなければならない。この条件も、すべての場合に満たされるとは限らない。
【００３０】
他のタイプの問題は、ＵＥ送信が自己減感を引き起こすときである。減感を回避するために、受信（Ｒｘ）周波数への送信（Ｔｘ）リークは−１０５ｄＢｍ／ＭＨｚ以下であり、好ましくは−１１５ｄＢｍ／ＭＨｚ以下でなければならない。再び、３５ｄＢデュプレクサ減衰を仮定すると、受信周波数におけるＴｘ雑音フロアは約−７０ｄＢｍ／ＭＨｚでなければならない。これを達成するために、二重分離（duplex separation）は少なくともＵＥ送信帯域幅の５倍でなければならない。
【００３１】
共存問題または自己減感は両方とも、Ｔｘスペクトル再生の他に不要なスプリアス積の他のソースによって引き起こされることがある。よく知られている例は、ナローバンド割り当てを用いた送信がキャリアリーク（ＬＯリーク）またはＩＱイメージと相互変調するときである。これは、スケジュールされたＵＬ周波数割り当てに応じて、ＵＬチャネルの外部にあり得る３次、５次またはより高次の相互変調積を生成する。ＬＯリークおよびＩＱイメージは両方とも、ベースバンド信号をＲＦ周波数にアップコンバートする際に使用される不完全な変調器によって生成されるアーティファクトである。同じ周波数位置においてスプリアス放射を生成する他の効果がある。ｅＮＢがスケジュールされたＵＬ周波数およびＴｘ電力に関する情報を有する場合、これらの放射の周波数における位置および近似電力をｅＮＢによって推定することができる。
【００３２】
ブロードバンドＬＴＥ周波数割り当て（１０ＭＨｚ、１５ＭＨｚ、２０ＭＨｚ）を仮定すると、上記の一方または両方の問題が発生する動作帯域が存在することになる。
【００３３】
図２に示す例示的な態様では、上述の問題を緩和するため、特に不十分な減衰を軽減するための方法２００が提供される。ＵＥは、サービングセルＲＳＲＰ（基準信号受信電力）、ＲＳＲＱ（基準信号受信品質）、およびＵＬ電力ヘッドルーム情報をサービングｅＮＢ（進化型またはＥＵＴＲＡＮノードＢ）にリポートする（ブロック２０２）。リポートは周期的またはイベントトリガ型であり得、ここで、イベントは、いくつかのパラメータがいくつかのしきい値を超えることである（ブロック２０４）。次いで、ｅＮＢは、リポートされたＲＳＲＰおよびＲＳＲＱレベルから、さらにｅＮＢ自体の装荷を考慮して、ＵＥが受ける現在の干渉レベルを計算する（ブロック２０６）。装荷ファクタＬは、干渉レベルを計算する際に使用されるＲＳＲＰ／ＩＯＲ比（ｄＢ表記ではＲＳＲＰ（ｄＢｍ）−ＩＯＲ（ｄＢｍ））を示す（ブロック２０８）。セル内受信電力（ＩＯＲ）は、（所与のタイムスロットにおける、すべての近隣基地局からの総受信信号電力の和として一般に定義されるセル間干渉（ＩＯＣ）とは反対に）タイムスロットにおける、ワイヤレス送信／受信ユニット（ＷＴＲＵ）（たとえば、ＵＥ）が通信している基地局（ＢＳ）からの総受信信号電力と一般に見なされる。したがって、セル内受信電力（ＩＯＲ）は、ＵＥが通信しているＢＳからの「有用な」エネルギー、または信号である。セル間干渉は、ＷＴＲＵによって受信される、すべての他の基地局（ＢＳ）からのすべての不要な信号エネルギーによって引き起こされる干渉であり、したがって「有用な」信号の復号に有害である。ＲＳＲＱはＲＳＲＰ（ｄＢｍ）−ＲＳＳＩ（ｄＢｍ）であり、ここで、ＲＳＳＩは総受信電力である（ブロック２１２）。
【００３４】
提供する例はリセレクション（再選択）ランキング測定を実行するために上述の量を使用することができ得るので、判断するためにＲＳＲＰ、ＲＳＲＱ、位置（ＬＯＣ）、およびＩＯＣを使用することができ得るが、これらの量は、本開示の意図された範囲を逸脱することなしに、任意の他の好適な信号電力または信号品質尺度によって置換でき得ることを理解されたい。セルリセレクション（再選択）プロセスにおいて他の測定値を使用した場合、本明細書で開示する概念は、そのような他の測定に等しく適用可能であり、それによって同様に本明細書の範囲内に入ることを、本開示の利益をもつ同業者なら認識されよう。
【００３５】
ターゲット減感限界を仮定すると、ｅＮＢは、ＵＥについての許容自己干渉レベルを計算する（ブロック２１０）。一態様では、許容総干渉はＲＳＲＰ（ｄＢｍ）−ＳＮＲ（ｄＢ）であり、ここで、ＳＮＲは復調のために必要なＳＮＲである。許容自己干渉は、一般に、総許容干渉−熱雑音−ＵＥによって受信される、他の基地局からの干渉である。熱雑音は、典型的な受信機雑音指数を使用することによって推定できる。他の基地局から受信された干渉ＩＯＣは、
【数１】
0005442750.tif 000002
【００３６】
であり、ここで、
【数２】
0005442750.tif 000003
【００３７】
は熱雑音フロアであり、
【数３】
0005442750.tif 000004
【００３８】
はサービングセル装荷ファクタであり、これはｄＢ単位での送信基準信号電力と総ｅＮＢ送信電力との比に等しい。装荷ファクタＬは、ＵＥリポートがない場合でもｅＮＢに知られる。したがって、ＲＳＲＰ、ＲＳＲＱ、Ｌ、ターゲットＳＮＲおよび受信機雑音指数がわかっていれば、許容自己干渉を計算することができる。前述のパラメータの定義は様々なスケーリングファクタを含むことがあるが、ここでは簡単のために省略した。
【００３９】
自己干渉は周波数にわたって平坦ではないので、許容自己干渉レベルは同じく現在のダウンリンクスケジューリングに依存する。計算された干渉から、ｅＮＢはＵＬ割り当てパラメータを計算する（ブロック２１４）。たとえばブロック２１６において、ＵＬ割り当てパラメータは、以下を含むことができ得る。
【００４０】
開始リソースブロック（ＲＢ）、割り当てられたＲＢのセットの最低周波数
ＲＢの数、ＵＥに割り当てられるＲＢの総数（すなわち、帯域幅）
Ｔｘ電力を設定する電力制御
ｅＮＢは、ＵＥがどんな送信電力および周波数割り当てを使用しているかを知っているので、典型的な電力増幅器（ＰＡ）特性および典型的なデュプレクサアイソレーションを仮定する計算に基づいて、どのくらいの自己干渉が生成されるかを推定する（ブロック２１８）。この計算において、ｅＮＢは、リポートされたヘッドルームと、もしあれば、ＵＥに送信された最近の電力制御コマンドとを使用する（ブロック２２０）。リポートされたヘッドルームは、一般に、送信のために利用可能な最大電力−現在の送信電力として定義される。一態様では、スケジューリング決定のシーケンスは、ＤＬ割り当て、その後に許容自己干渉の判断、次いでＵＬ割り当てを備える（ブロック２２２）。
【００４１】
別の態様では、このプロセスは逆転する。さらに別の態様では、利用可能な情報を使用してＤＬ割り当てとＵＬ割り当てとを一緒に判断することができる。共存要件を満たすために追加のスケジューリング制約を導出することができる。これは、電力ヘッドルームリポートのみから判断できる。追加のスケジューリング制約は、一態様では、ただ自己干渉ターゲットを満たすために必要とされるであろうこと以外に、基地局が電力制御を使用することによってＵＥ送信電力をさらに低下させること、またはアップリンク送信をスペクトル中のより好ましい位置にスケジュールすることとして定義される。
【００４２】
上記によって、一態様では、ワイヤレス通信システムにおいて動作可能である装置が提供される。ＵＥからＲＳＲＰとＲＳＲＱとを受信するための手段が提供される。ＲＳＲＰとＲＳＲＱとに基づいてＵＥについての許容自己干渉レベルを計算するための手段が提供される。計算された許容自己干渉レベルに基づいてＵＥについてのアップリンクパラメータを計算するための手段が提供される。アップリンクパラメータをＵＥに送信するための手段が提供される。
【００４３】
別の態様では、ＵＥからＲＳＲＰとＲＳＲＱとを受信し、ＲＳＲＰとＲＳＲＱとに基づいてＵＥについての許容自己干渉レベルを計算し、計算された許容自己干渉レベルに基づいてＵＥについてのアップリンクパラメータを計算し、アップリンクパラメータをＵＥに送信することによって、ワイヤレス通信システムにおいて使用するための方法が提供される。電子デバイスは、この方法を実行するように構成できる。
【００４４】
追加の態様では、機械可読媒体は、機械によって実行されたとき、機械に、（ａ）ＵＥからＲＳＲＰとＲＳＲＱとを受信することと、（ｂ）ＲＳＲＰとＲＳＲＱとに基づいてＵＥについての許容自己干渉レベルを計算することと、（ｃ）計算された許容自己干渉レベルに基づいてＵＥについてのアップリンクパラメータを計算することと、（ｄ）アップリンクパラメータをＵＥに送信することとを含む動作を実行させるための命令を備える。
【００４５】
さらなる態様では、ワイヤレス通信システムにおいて動作可能である装置が提供される。プロセッサは、ＵＥからＲＳＲＰとＲＳＲＱとを受信し、ＲＳＲＰとＲＳＲＱとに基づいてＵＥについての許容自己干渉レベルを計算し、計算された許容自己干渉レベルに基づいてＵＥについてのアップリンクパラメータを計算し、アップリンクパラメータをＵＥに送信するように構成される。メモリは、データを記憶するためにプロセッサに結合できる。
【００４６】
いくつかの態様では、マクロスケールのカバレージ（たとえば、一般にマクロセルネットワークと呼ばれる、３Ｇ（第３世代）ネットワークなどの広域セルラーネットワーク）、およびより小さいスケールのカバレージ（たとえば、住居ベースまたは建築物ベースのネットワーク環境）を含むネットワーク中で、本明細書の教示を採用することができ得る。アクセス端末（「ＡＴ」）がそのようなネットワーク中を移動するとき、アクセス端末は、あるロケーションでは、マクロカバレージを与えるアクセスノード（「ＡＮ」）によってサービスされ、他のロケーションでは、より小さいスケールのカバレージを与えるアクセスノードによってサービスされることがある。いくつかの態様では、より小さいカバレージノードを使用して、（たとえば、よりロバストなユーザエクスペリエンスのために）増分キャパシティの増大と、屋内カバレージと、様々なサービスとを与えることができ得る。本明細書での説明では、比較的大きいエリアにわたるカバレージを与えるノードを、マクロノードと呼ぶことがある。比較的小さいエリア（たとえば、住居）にわたるカバレージを与えるノードを、フェムトノードと呼ぶことがある。マクロエリアよりも小さく、フェムトエリアよりも大きいエリアにわたるカバレージを与える（たとえば、商業建築物内のカバレージを与える）ノードを、ピコノードと呼ぶことがある。
【００４７】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことができ得る。
【００４８】
様々な適用例では、マクロノード、フェムトノード、またはピコノードを指すために他の用語を使用することがある。たとえば、マクロノードを、アクセスノード、基地局、アクセスポイント、ｅＮｏｄｅＢ、マクロセルなどとして構成する、または呼ぶことがある。また、フェムトノードを、Ｈｏｍｅ  ＮｏｄｅＢ、Ｈｏｍｅ  ｅＮｏｄｅＢ、アクセスポイント基地局、フェムトセルなどとして構成する、または呼ぶことがある。
【００４９】
図３に示す例では、基地局３１０ａ、３１０ｂおよび３１０ｃは、それぞれマクロセル３０２ａ、３０２ｂおよび３０２ｃのためのマクロ基地局であり得る。基地局３１０ｘは、端末３２０ｘと通信しているピコセル３０２ｘのためのピコ基地局であり得る。基地局３１０ｙは、端末３２０ｙと通信しているフェムトセル３０２ｙのためのフェムト基地局であり得る。簡単のために図３には示されていないが、マクロセルはエッジにおいて重なることがある。ピコセルおよびフェムトセルは、（図３に示すように）マクロセル内に位置し得るか、あるいはマクロセルおよび／または他のセルと重なることがある。
【００５０】
ワイヤレスネットワーク３００はまた、中継局、たとえば、端末３２０ｚと通信する中継局３１０ｚを含むことができ得る。中継局は、上流局（upstream station）からデータおよび／または他の情報の送信を受信し、そのデータおよび／または他の情報の送信を下流局（downstream station）に送信する局である。上流局は、基地局、別の中継局、または端末であり得る。下流局は、端末、別の中継局、または基地局であり得る。中継局はまた、他の端末に対する送信を中継する端末であり得る。中継局は、低再使用プリアンブルを送信および／または受信することができ得る。たとえば、中継局は、ピコ基地局と同様の方法で低再使用プリアンブルを送信することができ得、端末と同様の方法で低再使用プリアンブルを受信することができ得る。
【００５１】
ネットワークコントローラ３３０は、基地局のセットに結合し、これらの基地局の調整および制御を行うことができ得る。ネットワークコントローラ３３０は、単一のネットワークエンティティまたはネットワークエンティティの集合であり得る。ネットワークコントローラ３３０はバックホール（Backhaul）を介して基地局３１０と通信することができ得る。バックホールネットワーク通信３３４は、そのような分散アーキテクチャを採用している基地局３１０ａ〜３１０ｃ間のポイントツーポイント通信を可能にすることができる。また、基地局３１０ａ〜３１０ｃは、たとえば、直接またはワイヤレスバックホールまたはワイヤラインバックホールを介して間接的に、互いに通信することができ得る。
【００５２】
ワイヤレスネットワーク３００は、マクロ基地局（図３に図示せず）のみを含む同種ネットワークであり得る。ワイヤレスネットワーク３００はまた、たとえば、マクロ基地局、ピコ基地局、ホーム基地局、中継局など、異なるタイプの基地局を含む異種ネットワークであり得る。これらの様々なタイプの基地局は、様々な送信電力レベル、様々なカバレージエリア、およびワイヤレスネットワーク３００中の干渉に対する様々な影響を有することができ得る。たとえば、マクロ基地局は、高い送信電力レベル（たとえば、２０ワット）を有することができ得るが、ピコ基地局、フェムト基地局は、低い送信電力レベル（たとえば、９ワット）を有することができ得る。本明細書で説明する技法は同種ネットワークと異種ネットワークとのために使用でき得る。
【００５３】
端末３２０は、ワイヤレスネットワーク３００全体にわたって分散され得、各端末は固定でも移動でもよい。端末は、アクセス端末（ＡＴ）、移動局（ＭＳ）、ユーザ機器（ＵＥ）、加入者ユニット、局などと呼ばれることもある。端末は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などであり得る。端末は、ダウンリンクおよびアップリンクを介して基地局と通信することができ得る。ダウンリンク（または順方向リンク）とは、基地局から端末への通信リンクを指し、アップリンク（または逆方向リンク）とは、端末から基地局への通信リンクを指す。
【００５４】
端末は、マクロ基地局、ピコ基地局、フェムト基地局、および／または他のタイプの基地局と通信することが可能であり得る。図３では、両矢印の実線は、ダウンリンクおよび／またはアップリンク上の、端末と端末にサービスするように指定された基地局であるサービング基地局との間の所望の送信を示す。両矢印の破線は、端末と基地局との間の干渉送信を示す。干渉基地局は、ダウンリンク上で端末への干渉を引き起こし、および／またはアップリンク上で端末からの干渉を観測する基地局である。
【００５５】
ワイヤレスネットワーク３００は、同期または非同期動作をサポートすることができ得る。同期動作では、基地局は同じフレームタイミングを有することができ得、異なる基地局からの送信は時間的に整合され得る。非同期動作では、基地局は異なるフレームタイミングを有することがあり、異なる基地局からの送信は時間的に整合されないことがある。非同期動作は、屋内に展開でき得るピコ基地局およびフェムト基地局ではより一般的であり得、Ｇｌｏｂａｌ  Ｐｏｓｉｔｉｏｎｉｎｇ  Ｓｙｓｔｅｍ（ＧＰＳ）などの同期ソースにアクセスできないことがある。
【００５６】
一態様では、システム容量を改善するために、それぞれの基地局３１０ａ〜３１０ｃに対応するカバレージエリア３０２ａ、３０２ｂ、または３０２ｃを複数のより小さいエリア（たとえば、エリア３０４ａ、３０４ｂ、および３０４ｃ）に区分することができる。より小さいエリア３０４ａ、３０４ｂ、および３０４ｃの各々は、それぞれのベーストランシーバサブシステム（ＢＴＳ、図示せず）によってサービスできる。本明細書および当技術分野で一般に使用する「セクタ」という用語は、この用語が使用される文脈に応じて、ＢＴＳおよび／またはそのカバレージエリアを指すことができる。一例では、セル３０２ａ、３０２ｂ、３０２ｃ中のセクタ３０４ａ、３０４ｂ、３０４ｃは、基地局３１０におけるアンテナのグループ（図示せず）によって形成でき、アンテナの各グループは、セル３０２ａ、３０２ｂ、または３０２ｃの一部分において端末３２０との通信を受け持つ。たとえば、セル３０２ａにサービスする基地局３１０は、セクタ３０４ａに対応する第１のアンテナグループと、セクタ３０４ｂに対応する第２のアンテナグループと、セクタ３０４ｃに対応する第３のアンテナグループとを有することができる。だたし、本明細書で開示する様々な態様は、セクタ化されたセルおよび／またはセクタ化されていないセルを有するシステムにおいて使用できることを諒解されたい。さらに、任意の数のセクタ化されたセルおよび／またはセクタ化されていないセルを有するすべての好適なワイヤレス通信ネットワークは、本明細書に添付の特許請求の範囲内に入るものとすることを諒解されたい。簡単のために、本明細書で使用する「基地局」という用語は、セクタにサービスする局ならびにセルにサービスする局の両方を指すことができる。本明細書で使用する、独立リンクシナリオにおけるダウンリンクセクタはネイバー（neighbor）セクタであることを諒解されたい。以下の説明は、概して、各端末が簡単のために１つのサービングアクセスポイントと通信するシステムに関するが、端末は任意の数のサービングアクセスポイントと通信することができることを諒解されたい。
【００５７】
いくつかの態様では、（限定加入者グループＨｏｍｅ  ＮｏｄｅＢと呼ばれることもある）制限されたフェムトノードは、サービスを、制限された準備されたアクセス端末のセットに提供するノードである。このセットは、必要に応じて、一時的にまたは永続的に拡大でき得る。いくつかの態様では、限定加入者グループ（「ＣＳＧ」）は、アクセス端末の共通のアクセス制御リストを共有するアクセスノード（たとえば、フェムトノード）のセットとして定義でき得る。領域中のすべてのフェムトノード（またはすべての制限されたフェムトノード）が動作するチャネルをフェムトチャネルと呼ぶことがある。
【００５８】
したがって、所与のフェムトノードと所与のアクセス端末またはユーザ機器との間には様々な関係が存在し得る。たとえば、アクセス端末の観点から、開いたフェムトノードは、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスし、またはその上で動作することを一時的に許可されるフェムトノードを指すことがある。外来（alien）フェムトノードは、おそらく非常事態（たとえば、９１１番）を除いて、アクセス端末がアクセスし、またはその上で動作することを許可されないフェムトノードを指すことがある。
【００５９】
制限されたフェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。外来アクセス端末は、たとえば、おそらく９１１番などの非常事態を除いて、制限されたフェムトノードにアクセスする許可を有していないアクセス端末（たとえば、制限されたフェムトノードに登録する証明書または許可を有していないアクセス端末）を指すことがある。
【００６０】
便宜のために、本明細書の開示では、フェムトノードの文脈で様々な機能について説明する。ただし、ピコノードは、より大きいカバレージエリアに同じまたは同様の機能を提供することができ得ることを諒解されたい。たとえば、所与のアクセス端末に対して、ピコノードを制限すること、ホームピコノードを定義することなどが可能であり得る。
【００６１】
ワイヤレス多元接続通信システムは、複数のワイヤレスアクセス端末のための通信を同時にサポートすることができ得る。上述のように、各端末は、順方向リンクおよび逆方向リンク上での送信を介して１つまたは複数の基地局と通信することができ得る。順方向リンク（またはダウンリンク）とは、基地局から端末への通信リンクを指し、逆方向リンク（またはアップリンク）とは、端末から基地局への通信リンクを指す。この通信リンクは、単入力単出力システム、多入力多出力（「ＭＩＭＯ」）システム、または何らかの他のタイプのシステムを介して確立でき得る。
【００６２】
図４を参照すると、一態様による多元接続ワイヤレス通信システムが示されている。アクセスポイント（ＡＰ）４００は複数のアンテナグループを含み、あるアンテナグループは４０４と４０６とを含み、別のアンテナグループはアンテナ４０８と４１０とを含み、追加のアンテナグループはアンテナ４１２と４１４とを含む。図４では、アンテナグループごとに２つのアンテナのみが示されているが、アンテナグループごとにより多いまたはより少ないアンテナが利用でき得る。アクセス端末（ＡＴ）４１６はアンテナ４１２および４１４と通信中であり、アンテナ４１２および４１４は、順方向リンク４２０上でアクセス端末４１６に情報を送信し、逆方向リンク４１８上でアクセス端末４１６から情報を受信する。アクセス端末４２２はアンテナ４０６および４０８と通信中であり、アンテナ４０６および４０８は、順方向リンク４２６上でアクセス端末４２２に情報を送信し、逆方向リンク４２４上でアクセス端末４２２から情報を受信する。ＦＤＤシステムでは、通信リンク４１８、４２０、４２４および４２６は、通信のための異なる周波数を使用することができ得る。たとえば、順方向リンク４２０は、逆方向リンク４１８によって使用される周波数とは異なる周波数を使用することができ得る。
【００６３】
アンテナの各グループ、および／またはアンテナが通信するために設計されたエリアは、しばしば、アクセスポイントのセクタと呼ばれる。本態様では、アンテナグループはそれぞれ、アクセスポイント４００によってカバーされるエリアのセクタ内でアクセス端末に通信するように設計される。
【００６４】
順方向リンク４２０および４２６上の通信では、アクセスポイント４００の送信アンテナは、異なるアクセス端末４１６および４２２に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００６５】
アクセスポイントは、端末との通信に使用される固定局でもよく、アクセスポイント、ノードＢ、または何らかの他の用語で呼ばれることもある。アクセス端末は、ユーザ機器（ＵＥ）、ワイヤレス通信デバイス、端末、または何らかの他の用語で呼ばれることもある。
【００６６】
ＭＩＭＯシステムは、データ送信用の複数（ＮT）個の送信アンテナおよび複数（ＮR）個の受信アンテナを使用する。ＮT個の送信アンテナとＮR個の受信アンテナとによって形成されるＭＩＭＯチャネルは、空間チャネルと呼ばれることもあるＮS個の独立チャネルに分解でき得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができ得る。
【００６７】
ＭＩＭＯシステムは時分割複信（「ＴＤＤ」）および周波数分割複信（「ＦＤＤ」）をサポートすることができ得る。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム形成利得を抽出することが可能になる。
【００６８】
本明細書の教示は、少なくとも１つの他のノードと通信するための様々な構成要素を採用するノード（たとえば、デバイス）に組み込むことができ得る。図５に、ノード間の通信を可能にするために採用でき得るいくつかの例示的な構成要素を示す。特に、図５に、ＭＩＭＯシステム５００のワイヤレスデバイス５１０（たとえば、アクセスポイント）とワイヤレスデバイス５５０（たとえば、アクセス端末）とを示す。デバイス５１０では、いくつかのデータストリームのトラフィックデータが、データソース５１２から送信（「ＴＸ」）データプロセッサ５１４に供給される。
【００６９】
いくつかの態様では、各データストリームは、それぞれの送信アンテナを介して送信される。ＴＸデータプロセッサ５１４は、符号化データを与えるために、そのデータストリーム用に選択された特定の符号化方式に基づいて、データストリームごとにトラフィックデータをフォーマッティングし、符号化し、インターリーブする。
【００７０】
各データストリームの符号化データは、ＯＦＤＭ技法を使用してパイロットデータで多重化でき得る。パイロットデータは、典型的には、知られている方法で処理され、チャネル応答を推定するために受信機システムにおいて使用でき得る知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ５３０によって実行される命令によって判断でき得る。データメモリ５３２は、プロセッサ５３０またはデバイス５１０の他の構成要素によって使用されるプログラムコード、データ、および他の情報を記憶することができ得る。
【００７１】
次いで、すべてのデータストリームの変調シンボルがＴＸ  ＭＩＭＯプロセッサ５２０に供給され、ＴＸ  ＭＩＭＯプロセッサ５２０はさらに（たとえば、ＯＦＤＭ用に）その変調シンボルを処理することができ得る。次いで、ＴＸ  ＭＩＭＯプロセッサ５２０は、ＮT個の変調シンボルストリームを、各々が送信機（ＴＭＴＲ）と受信機（ＲＣＶＲ）とを有するＮT個のトランシーバ（「ＸＣＶＲ」）５２２ａ〜５２２ｔに供給する。いくつかの態様では、ＴＸ  ＭＩＭＯプロセッサ５２０は、データストリームのシンボルと、シンボルの送信元のアンテナとにビームフォーミング重みを付加する。
【００７２】
各トランシーバ５２２ａ〜５２２ｔは、それぞれのシンボルストリームを受信し、処理して、１つまたは複数のアナログ信号を生成し、さらに、それらのアナログ信号を調整（たとえば、増幅、フィルタリング、およびアップコンバート）して、ＭＩＭＯチャネルを介して送信するのに適した変調信号を与える。次いで、トランシーバ５２２ａ〜５２２ｔからのＮT個の変調信号は、それぞれ、ＮT個のアンテナ５２４ａ〜５２４ｔから送信される。
【００７３】
デバイス５５０では、送信された変調信号はＮR個のアンテナ５５２ａ〜５５２ｒによって受信され、各アンテナ５５２ａ〜５５２ｒの受信信号は、それぞれのトランシーバ（「ＸＣＶＲ」）５５４ａ〜５５４ｒに供給される。各トランシーバ５５４ａ〜５５４ｒは、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【００７４】
次いで、受信（「ＲＸ」）データプロセッサ５６０は、特定の受信機処理技法に基づいてＮR個のトランシーバ５５４ａ〜５５４ｒからＮR個の受信シンボルストリームを受信し、処理して、ＮT個の「検出」シンボルストリームを供給する。次いで、ＲＸデータプロセッサ５６０は、各検出シンボルストリームを復調し、デインターリーブし、復号して、データストリームに対するトラフィックデータを復元する。ＲＸデータプロセッサ５６０による処理は、デバイス５１０におけるＴＸ  ＭＩＭＯプロセッサ５２０およびＴＸデータプロセッサ５１４によって実行される処理を補足するものである。
【００７５】
プロセッサ５７０は、どのプリコーディング行列を使用すべきかを定期的に判断する。プロセッサ５７０は、行列インデックス部とランク値部とを備える逆方向リンクメッセージを作成する。データメモリ５７２は、プロセッサ５７０またはデバイス５５０の他の構成要素によって使用されるプログラムコード、データ、および他の情報を記憶することができ得る。
【００７６】
逆方向リンクメッセージは、通信リンクおよび／または受信データストリームに関する様々なタイプの情報を備えることができ得る。次いで、逆方向リンクメッセージは、データソース５３６からいくつかのデータストリームのトラフィックデータをも受信するＴＸデータプロセッサ５３８によって処理され、変調器５８０によって変調され、トランシーバ５５４ａ〜５５４ｒによって調整され、デバイス５１０に戻される。
【００７７】
デバイス５１０において、デバイス５５０からの変調信号は、アンテナ５２４ａ〜５２４ｔによって受信され、トランシーバ５２２ａ〜５２２ｔによって調整され、復調器（「ＤＥＭＯＤ」）５４０によって復調され、ＲＸデータプロセッサ５４２によって処理されて、デバイス５５０によって送信された逆方向リンクメッセージが抽出される。次いで、プロセッサ５３０は、ビームフォーミング重みを判断するためにどのプリコーディング行列を使用すべきかを判断し、次いで、抽出されたメッセージを処理する。
【００７８】
図５はまた、通信構成要素が、干渉制御動作を実行する１つまたは複数の構成要素を含むことができ得ることを示す。たとえば、干渉（「ＩＮＴＥＲ」）制御構成要素５９０は、デバイス５１０のプロセッサ５３０および／または他の構成要素と協働して、別のデバイス（たとえば、デバイス５５０）との間で信号を送信／受信することができ得る。同様に、干渉制御構成要素５９２は、プロセッサ５７０および／またはデバイス５５０の他の構成要素と協働して、別のデバイス（たとえば、デバイス５１０）との間で信号を送信／受信することができ得る。各デバイス５１０および５５０について、説明する構成要素の２つ以上の機能が単一の構成要素によって提供でき得ることを諒解されたい。たとえば、単一の処理構成要素が干渉制御構成要素５９０およびプロセッサ５３０の機能を提供し、また、単一の処理構成要素が干渉制御構成要素５９２およびプロセッサ５７０の機能を提供することができ得る。
【００７９】
図６には、以下の行為を実施するために、コンピュータ可読記憶媒体上に記憶されたコンピュータ実行可能命令を実行するプロセッサを採用することによって、チャネル間の共存のために不十分な減衰を軽減するための方法６００が与えられている。ｅＮＢは、アップリンクチャネル上での第１のユーザ機器による送信を、ダウンリンクチャネルを介してスケジュールする（ブロック６０２）。ｅＮＢは、第１のユーザ機器による送信のために使用されるアップリンク周波数帯域および第１の送信電力レベルがダウンリンクチャネル上のダウンリンク周波数帯域に不十分な減衰を与えると判断する（ブロック６０４）。ｅＮＢは、ダウンリンク周波数帯域に十分な減衰を与えるために、アップリンクチャネルおよびダウンリンクチャネルの一方の上での送信のスケジューリングを変更する（ブロック６０６）。
【００８０】
図７には、以下の行為を実施するために、コンピュータ可読記憶媒体上に記憶されたコンピュータ実行可能命令を実行するプロセッサを採用することによって、チャネル間の共存のために不十分な減衰を軽減するための方法７００が与えられている。ユーザ機器は、アップリンクチャネル上での第１のユーザ機器による送信をスケジュールするために、サービングノードからダウンリンクチャネルを受信する（ブロック７０２）。ユーザ機器は、自己干渉に関係する値を判断する（ブロック７０４）。ユーザ機器は、サービングノードが、第１のユーザ機器による送信のために使用されるアップリンク周波数帯域および第１の送信電力レベルがダウンリンクチャネル上でダウンリンク周波数帯域に不十分な減衰を与えると判断するために、その値に基づいてフィードバックリポートを送信する（ブロック７０６）。ユーザ機器は、ダウンリンク周波数帯域に十分な減衰を与えるために、アップリンクチャネルおよびダウンリンクチャネルの一方の上での送信のスケジューリングの変更を受信する（ブロック７０８）。ユーザ機器は、変更に従って、アップリンクチャネル上で送信し、ダウンリンクチャネル上で受信する（ブロック７１０）。
【００８１】
図８には、以下の行為を実施するために、コンピュータ可読記憶媒体上に記憶されたコンピュータ実行可能命令を実行するプロセッサを採用することによって、チャネル間の共存のために不十分な減衰を軽減するための方法８００が与えられている。本方法は、第１のワイヤレスチャネル上での第１の送信を制御することと（ブロック８０２）、送信のために使用される周波数帯域および送信電力が第２のワイヤレスチャネルに不十分な減衰を与えると判断することと（ブロック８０４）、第２のワイヤレスチャネルに対する減衰を増大させるために、第１のワイヤレスチャネル上での送信を変更することと（ブロック８０６）を与える。
【００８２】
図９を参照すると、チャネル間の共存のために不十分な減衰を軽減するためのシステム９００が示されている。たとえば、システム９００は、少なくとも部分的にネットワークエンティティ（たとえば、進化型ノードＢ）内に常駐することができる。システム９００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックとすることができることを諒解されたい。システム９００は、連携して動作することができる電気的構成要素の論理グルーピング９０２を含む。たとえば、論理グルーピング９０２は、アップリンクチャネル上での第１のユーザ機器による送信を、ダウンリンクチャネルを介してスケジュールするための電気的構成要素９０４を含むことができる。さらに、論理グルーピング９０２は、第１のユーザ機器による送信のために使用されるアップリンク周波数帯域および第１の送信電力レベルがダウンリンクチャネル９０６上のダウンリンク周波数帯域に不十分な減衰を与えると判断するための電気的構成要素を含むことができる。別の例では、論理グルーピング９０２は、ダウンリンク周波数帯域に十分な減衰を与えるために、アップリンクチャネルおよびダウンリンクチャネルの一方の上での送信のスケジューリングを変更するための電気的構成要素９０８を含むことができる。さらに、システム９００は、電気的構成要素９０４〜９０８に関連する機能を実行するための命令を保持するメモリ９２０を含むことができる。メモリ９２０の外部にあるものとして示されているが、電気的構成要素９０４〜９０８の１つまたは複数は、メモリ９２０の内部に存在することができることを理解されたい。
【００８３】
図１０を参照すると、チャネル間の共存のために不十分な減衰を軽減するためのシステム１０００が示されている。たとえば、システム１０００は、少なくとも部分的にユーザ機器（ＵＥ）内に常駐することができる。システム１０００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックとすることができることを諒解されたい。システム１０００は、連携して動作することができる電気的構成要素の論理グルーピング１００２を含む。たとえば、論理グルーピング１００２は、アップリンクチャネル上での第１のユーザ機器による送信をスケジュールするために、サービングノードからダウンリンクチャネルを受信するための電気的構成要素１００４を含むことができる。さらに、論理グルーピング１００２は、自己干渉に関係する値を判断するための電気的構成要素１００６を含むことができる。別の例では、論理グルーピング１００２は、サービングノードが、第１のユーザ機器による送信のために使用されるアップリンク周波数帯域および第１の送信電力レベルがダウンリンクチャネル上でダウンリンク周波数帯域に不十分な減衰を与えると判断するために、その値に基づいてフィードバックリポートを送信するための電気的構成要素１００８を含むことができる。追加の例では、論理グルーピング１００２は、ダウンリンク周波数帯域に十分な減衰を与えるために、アップリンクチャネルおよびダウンリンクチャネルの一方の上での送信のスケジューリングの変更を受信するための電気的構成要素１０１０を含むことができる。追加の例では、論理グルーピング１００２は、変更に従って、アップリンクチャネル上で送信し、ダウンリンクチャネル上で受信するための電気的構成要素１０１２を含むことができる。さらに、システム１０００は、電気的構成要素１００４〜１０１２に関連する機能を実行するための命令を保持するメモリ１０２０を含むことができる。メモリ１０２０の外部にあるものとして示されているが、電気的構成要素１００４〜１０１２の１つまたは複数は、メモリ１０２０の内部に存在することができることを理解されたい。
【００８４】
図１１を参照すると、チャネル間の共存のために不十分な減衰を軽減するためのシステム１１００が示されている。たとえば、システム１１００は、少なくとも部分的にネットワークエンティティ（たとえば、進化型ノードＢ）内に常駐することができる。システム１１００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックとすることができることを諒解されたい。システム１１００は、連携して動作することができる電気的構成要素の論理グルーピング１１０２を含む。たとえば、論理グルーピング１１０２は、第１のワイヤレスチャネル上での第１の送信を制御するための電気的構成要素１１０４を含むことができる。さらに、論理グルーピング１１０２は、送信のために使用される周波数帯域および送信電力が第２のワイヤレスチャネルに不十分な減衰を与えると判断するための電気的構成要素１１０６を含むことができる。別の例では、論理グルーピング１１０２は、送信機は、第２のワイヤレスチャネルに対する減衰を増大させるために、第１のワイヤレスチャネル上での送信を変更するための電気的構成要素１１０８を含むことができる。さらに、システム１１００は、電気的構成要素１１０４〜１１０８に関連する機能を実行するための命令を保持するメモリ１１２０を含むことができる。メモリ１１２０の外部にあるものとして示されているが、電気的構成要素１１０４〜１１０８の１つまたは複数は、メモリ１１２０の内部に存在することができることを理解されたい。
【００８５】
図１２には、チャネル間の共存のために不十分な減衰を軽減するための装置１２０２が示されている。アップリンクチャネル上での第１のユーザ機器による送信を、ダウンリンクチャネルを介してスケジュールするための手段１２０４が提供される。第１のユーザ機器による送信のために使用されるアップリンク周波数帯域および第１の送信電力レベルがダウンリンクチャネル上のダウンリンク周波数帯域に不十分な減衰を与えると判断するための手段１２０６が提供される。ダウンリンク周波数帯域に十分な減衰を与えるために、アップリンクチャネルおよびダウンリンクチャネルの一方の上での送信のスケジューリングを変更するための手段１２０８が提供される。
【００８６】
図１３には、チャネル間の共存のために不十分な減衰を軽減するための装置１３０２が示されている。アップリンクチャネル上での第１のユーザ機器による送信をスケジュールするために、サービングノードからダウンリンクチャネルを受信するための手段１３０４が提供される。自己干渉に関係する値を判断するための手段１３０６が提供される。サービングノードが、第１のユーザ機器による送信のために使用されるアップリンク周波数帯域および第１の送信電力レベルがダウンリンクチャネル上でダウンリンク周波数帯域に不十分な減衰を与えると判断するために、その値に基づいてフィードバックリポートを送信するための手段１３０８が提供される。ダウンリンク周波数帯域に十分な減衰を与えるために、アップリンクチャネル上での送信のスケジューリングの変更を受信するための手段１３１０が提供される。変更に従って、アップリンクチャネル上で送信し、ダウンリンクチャネル上で受信するための手段１３１２が提供される。
【００８７】
図１４には、チャネル間の共存のために不十分な減衰を軽減するための装置１４０２が示されている。第１のワイヤレスチャネル上での第１の送信を制御するための手段１４０４が提供される。送信のために使用される周波数帯域および送信電力が第２のワイヤレスチャネルに不十分な減衰を与えると判断するための手段１４０６が提供される。第２のワイヤレスチャネルに対する減衰を増大させるために、第１のワイヤレスチャネル上での送信を変更するための手段１４０８が提供される。
【００８８】
さらに、本明細書で開示した態様に関して説明した様々な例示的な論理ブロック、モジュール、回路、およびアルゴリズムステップは、電子ハードウェア、コンピュータソフトウェア、または両方の組合せとして実装でき得ることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができ得るが、そのような実装の決定は、本開示の範囲からの逸脱を生じるものと解釈すべきではない。
【００８９】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができ得るが、これらに限定されない。例として、サーバ上で実行されるアプリケーションと、そのサーバの両方を構成要素とすることができる。１つまたは複数の構成要素がプロセスおよび／または実行スレッド内に常駐することができ得、１つの構成要素を１つのコンピュータ上に配置し、および／または２つ以上のコンピュータ間に分散することができ得る。
【００９０】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【００９１】
様々な態様を、いくつかの構成要素やモジュールなどを含むことができ得るシステムに関して提示する。様々なシステムは、追加の構成要素やモジュールなどを含んでもよく、および／または各図に関連して論じる構成要素やモジュールなどのすべてを含まなくてもよいことを理解および諒解されたい。これらの手法の組合せを使用することもでき得る。本明細書で開示する様々な態様は、タッチスクリーンディスプレイ技術および／またはマウスおよびキーボードタイプインターフェースを利用するデバイスを含む、電気的デバイス上で実行できる。そのようなデバイスの例には、コンピュータ（デスクトップおよびモバイル）、スマートフォン、携帯情報端末（ＰＤＡ）、およびワイヤードとワイヤレスの両方の他の電子デバイスがある。
【００９２】
さらに、本明細書で開示する態様に関連して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書に記載の機能を実行するように設計されたそれらの任意の組合せを用いて実装または実行でき得る。汎用プロセッサはマイクロプロセッサとすることができ得るが、代替として、プロセッサは、任意の従来のプロセッサ、コントローラ、マイクロコントローラ、または状態機械とすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【００９３】
さらに、標準的なプログラミングおよび／またはエンジニアリング技法を使用して、開示する態様を実装するようにコンピュータを制御するためのソフトウェア、ファームウェア、ハードウェア、またはそれらの任意の組合せを生成する方法、装置、または製造品として１つまたは複数のバージョンを実装することができ得る。本明細書で使用する「製造品」（または代替的に「コンピュータプログラム製品」）という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多目的ディスク（ＤＶＤ）．．．）、スマートカード、およびフラッシュメモリデバイス（たとえば、カード、スティック）を含むことができるが、これらに限定されない。さらに、電子メールを送信および受信する際またはインターネットもしくはローカルエリアネットワーク（ＬＡＮ）などのネットワークにアクセスする際に使用される搬送波など、搬送波を使用して、コンピュータ可読電子データを搬送することができることを諒解されたい。もちろん、開示する態様の範囲から逸脱することなく、この構成に対して多数の改変を行うことができ得ることを当業者ならば認識するであろう。
【００９４】
本明細書で開示する態様に関して説明した方法またはアルゴリズムのステップは、直接ハードウェアで実施するか、プロセッサによって実行されるソフトウェアモジュールで実施するか、またはその２つの組合せで実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化することができ得る。プロセッサおよび記憶媒体はＡＳＩＣ中に常駐することができ得る。ＡＳＩＣは、ユーザ端末内に常駐することができ得る。代替として、プロセッサおよび記憶媒体は、ユーザ端末内に個別構成要素として常駐することもでき得る。
【００９５】
開示された態様の前述の説明は、当業者が本開示を実施または使用できるようにするために提供されるものである。これらの態様への様々な修正は当業者には容易に明らかであり、本明細書で定義した一般原理は、本開示の趣旨または範囲から逸脱することなく他の実施形態に適用でき得る。したがって、本開示は、本明細書で示した実施形態に限定されるものではなく、本明細書で開示した原理および新規の特徴に一致する最も広い範囲を与られるべきである。
【００９６】
上記で説明した例示的なシステムに鑑みて、開示した主題に従って実装でき得る方法について、いくつかの流れ図を参照しながら説明した。説明を簡単にするために、方法を一連のブロックとして図示および説明したが、いくつかのブロックは本明細書で図示および説明したブロックとは異なる順序で、および／または他のブロックと同時に、行うことができ得るので、主張する主題はブロックの順序によって限定されないことを理解および諒解されたい。さらに、本明細書に記載の方法を実装するために、図示したすべてのブロックが必要とされるわけではない。さらに、本明細書で開示した方法は、そのような方法をコンピュータに移送および転送することを可能にするために製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【００９７】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明した開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
以下に、本願出願の当初の特許請求の範囲に記載された発明を付記する。
［１］
チャネル間の共存のために不十分な減衰を軽減するための方法であって、
アップリンクチャネル上での第１のユーザ機器による送信を、ダウンリンクチャネルを介してスケジュールする行為と、
前記第１のユーザ機器による前記送信のために使用されるアップリンク周波数帯域および第１の送信電力レベルが前記ダウンリンクチャネル上のダウンリンク周波数帯域に不十分な減衰を与えると判断する行為と、
前記アップリンクチャネルおよび前記ダウンリンクチャネルの一方の上での送信の前記スケジューリングを変更する行為と
を実施するために、コンピュータ可読記憶媒体上に記憶されたコンピュータ実行可能命令を実行するプロセッサを採用すること
を備える方法。
［２］
第２のユーザ機器への干渉を備える前記不十分な減衰を判断することをさらに備える、［１］に記載の方法。
［３］
前記第１のユーザ機器への自己減感を備える前記不十分な減衰を判断することをさらに備える、［１］に記載の方法。
［４］
十分な減衰をもつ第２の周波数帯域を割り当てることによって前記送信の前記スケジューリングを変更することをさらに備える、［１］に記載の方法。
［５］
前記第１の送信電力レベルを第２の送信電力レベルに低減することによって前記送信の前記スケジューリングを変更することをさらに備える、［１］に記載の方法。
［６］
フィードバックリポートを受信することと、
前記フィードバックリポートに少なくとも部分的に基づいて干渉値を計算することとをさらに備える、［１］に記載の方法。
［７］
ダウンリンク基準電力値と、ダウンリンク基準品質値と、アップリンク送信電力値とを含んでいる前記フィードバックリポートを受信することをさらに備える、［６］に記載の方法。
［８］
基準信号受信電力情報と、基準信号受信品質情報と、アップリンク電力ヘッドルーム情報とを含んでいる前記フィードバックリポートを受信することをさらに備える、［６］に記載の方法。
［９］
総干渉値−熱雑音−前記フィードバックリポートによって示される基地局からの総干渉に基づいて許容自己干渉レベルにアクセスすることによって前記干渉値を計算することをさらに備える、［６］に記載の方法。
［１０］
前記第１のユーザ機器について、少なくとも１つのアップリンク割り当てパラメータに基づいて前記干渉値を計算することをさらに備え、自己干渉が前記アップリンクチャネルにわたって非一様である、［９］に記載の方法。
［１１］
開始リソースブロックと、前記第１のユーザ機器に割り当てられるリソースブロックの数と、前記第１のユーザ機器についての電力制御値とからなるグループから選択される前記少なくとも１つのアップリンク割り当てパラメータを判断することをさらに備える、［１０］に記載の方法。
［１２］
典型的な電力増幅器および典型的なデュプレクサアイソレーションについての値にアクセスすることによって、前記第１のユーザ機器についての自己干渉の一部分を推定することをさらに備える、［６］に記載の方法。
［１３］
チャネル間の共存のために不十分な減衰を軽減するためのコンピュータプログラム製品であって、
少なくとも１つのプロセッサによって実行されたとき、
アップリンクチャネル上での第１のユーザ機器による送信を、ダウンリンクチャネルを介してスケジュールするためのコードの第１のセットと、
前記第１のユーザ機器による前記送信のために使用されるアップリンク周波数帯域および第１の送信電力レベルが前記ダウンリンクチャネル上のダウンリンク周波数帯域に不十分な減衰を与えると判断するためのコードの第２のセットと、
十分な減衰を与えるために、前記アップリンクチャネルおよび前記ダウンリンクチャネルの一方の上での送信の前記スケジューリングを変更するためのコードの第３のセットとを備える構成要素を実装するコンピュータ実行可能命令を記憶する少なくとも１つのコンピュータ可読記憶媒体
を備えるコンピュータプログラム製品。
［１４］
チャネル間の共存のために不十分な減衰を軽減するための装置であって、
少なくとも１つのプロセッサと、
前記少なくとも１つのプロセッサによって実行されたとき、
アップリンクチャネル上での第１のユーザ機器による送信を、ダウンリンクチャネルを介してスケジュールするための手段と、
前記第１のユーザ機器による前記送信のために使用されるアップリンク周波数帯域および第１の送信電力レベルが前記ダウンリンクチャネル上のダウンリンク周波数帯域に不十分な減衰を与えると判断するための手段と、
前記アップリンクチャネルおよび前記ダウンリンクチャネルの一方の上での送信の前記スケジューリングを変更するための手段と
を備える構成要素を実装する、コンピュータ実行可能命令を記憶する少なくとも１つのコンピュータ可読記憶媒体と
を備える装置。
［１５］
チャネル間の共存のために不十分な減衰を軽減するための装置であって、
送信機と、
受信機と、
アップリンクチャネル上で前記受信機によって受信される、第１のユーザ機器による送信を、ダウンリンクチャネル上で前記送信機を介してスケジュールするためのスケジューラと、
前記第１のユーザ機器による前記送信のために使用されるアップリンク周波数帯域および第１の送信電力レベルが前記ダウンリンクチャネル上のダウンリンク周波数帯域に不十分な減衰を与えると判断し、ダウンリンク周波数帯域に十分な減衰を与えるために、前記アップリンクチャネルおよび前記ダウンリンクチャネルの一方の上での送信の前記スケジューリングを変更するためのコンピューティングプラットフォームと
を備える装置。
［１６］
前記コンピューティングプラットフォームがさらに、第２のユーザ機器への干渉を備える前記不十分な減衰を判断する、［１５］に記載の装置。
［１７］
前記コンピューティングプラットフォームがさらに、前記第１のユーザ機器への自己減感を備える前記不十分な減衰を判断する、［１５］に記載の装置。
［１８］
前記コンピューティングプラットフォームがさらに、十分な減衰をもつ第２の周波数帯域を割り当てることによって前記送信の前記スケジューリングを変更する、［１５］に記載の装置。
［１９］
前記コンピューティングプラットフォームがさらに、前記第１の送信電力レベルを第２の送信電力レベルに低減することによって前記送信の前記スケジューリングを変更することをさらに備える、［１５］に記載の装置。
［２０］
前記受信機がさらに、フィードバックリポートを受信し、
前記コンピューティングプラットフォームがさらに、前記フィードバックリポートに少なくとも部分的に基づいて干渉値を計算する、［１５］に記載の装置。
［２１］
前記受信機がさらに、ダウンリンク基準電力値と、ダウンリンク基準品質値と、アップリンク送信電力値とを含んでいる前記フィードバックリポートを受信する、［２０］に記載の装置。
［２２］
前記受信機がさらに、基準信号受信電力情報と、基準信号受信された品質情報と、アップリンク電力ヘッドルーム情報とを含んでいる前記フィードバックリポートを受信する、［２０］に記載の装置。
［２３］
前記コンピューティングプラットフォームがさらに、総干渉値−熱雑音−前記フィードバックリポートによって示される基地局からの総干渉に基づいて許容自己干渉レベルにアクセスすることによって前記干渉値を計算する、［２０］に記載の装置。
［２４］
前記コンピューティングプラットフォームがさらに、前記第１のユーザ機器についての少なくとも１つのアップリンク割り当てパラメータに基づいて前記干渉値を計算し、自己干渉が前記アップリンクチャネルにわたって非一様である、［２３］に記載の装置。
［２５］
前記コンピューティングプラットフォームがさらに、開始リソースブロックと、前記第１のユーザ機器に割り当てられるリソースブロックの数と、前記第１のユーザ機器についての電力制御値とからなるグループから選択される前記少なくとも１つのアップリンク割り当てパラメータを判断する、［２４］に記載の装置。
［２６］
前記コンピューティングプラットフォームがさらに、典型的な電力増幅器および典型的なデュプレクサアイソレーションについての値にアクセスすることによって前記第１のユーザ機器についての自己干渉の一部を推定する、［２０］に記載の装置。
［２７］
チャネル間の共存のために不十分な減衰を軽減するための方法であって、
アップリンクチャネル上での第１のユーザ機器による送信をスケジュールするために、サービングノードからダウンリンクチャネルを受信する行為と、
自己干渉に関係する値を判断する行為と、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信する行為と、
前記アップリンクチャネルおよび前記ダウンリンクチャネルの一方の上での送信の前記スケジューリングの変更を受信する行為と、
前記変更に従って、前記アップリンクチャネル上で送信し、前記ダウンリンクチャネル上で受信する行為と
を実施するために、コンピュータ可読記憶媒体上に記憶されたコンピュータ実行可能命令を実行するプロセッサを採用すること
を備える方法。
［２８］
前記第１のユーザ機器への自己減感を備える前記不十分な減衰を判断するための前記フィードバックリポートを送信することをさらに備える、［２７］に記載の方法。
［２９］
十分な減衰をもつ第２の周波数帯域上で送信することによって、前記変更に従って前記アップリンクチャネル上で送信することをさらに備える、［２７］に記載の方法。
［３０］
送信電力を低減することによって、前記変更に従って前記アップリンクチャネル上で送信することをさらに備える、［２７］に記載の方法。
［３１］
ダウンリンク基準電力値と、ダウンリンク基準品質値と、アップリンク送信電力値とを含んでいる前記フィードバックリポートを送信することをさらに備える、［２７］に記載の方法。
［３２］
基準信号受信電力情報と、基準信号受信された品質情報と、アップリンク電力ヘッドルーム情報とを含んでいる前記フィードバックリポートを送信することをさらに備える、［３１］に記載の方法。
［３３］
チャネル間の共存のために不十分な減衰を軽減するためのコンピュータプログラム製品であって、
少なくとも１つのプロセッサによって実行されたとき、
アップリンクチャネル上での第１のユーザ機器による送信をスケジュールするために、サービングノードからダウンリンクチャネルを受信するためのコードの第１のセットと、  自己干渉に関係する値を判断するためのコードの第２のセットと、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信するためのコードの第３のセットと、
前記アップリンクチャネルおよび前記ダウンリンクチャネルの一方の上での送信の前記スケジューリングの変更を受信するためのコードの第４のセットと、
前記変更に従って、前記アップリンクチャネル上で送信し、前記ダウンリンクチャネル上で受信するためのコードの第５のセットと
を備える構成要素を実装するコンピュータ実行可能命令を記憶する少なくとも１つのコンピュータ可読記憶媒体
を備えるコンピュータプログラム製品。
［３４］
チャネル間の共存のために不十分な減衰を軽減するための装置であって、
少なくとも１つのプロセッサと、
前記少なくとも１つのプロセッサによって実行されたとき、
アップリンクチャネル上での第１のユーザ機器による送信をスケジュールするために、サービングノードからダウンリンクチャネルを受信するための手段と、
自己干渉に関係する値を判断するための手段と、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信するための手段と、
前記アップリンクチャネルおよび前記ダウンリンクチャネルの一方の上での送信の前記スケジューリングの変更を受信するための手段と、
前記変更に従って、前記アップリンクチャネル上で送信し、前記ダウンリンクチャネル上で受信するための手段と
を備える構成要素を実装する、コンピュータ実行可能命令を記憶する少なくとも１つのコンピュータ可読記憶媒体と
を備える装置。
［３５］
チャネル間の共存のために不十分な減衰を軽減するための装置であって、
アップリンクチャネル上での第１のユーザ機器による送信をスケジュールするために、サービングノードからダウンリンクチャネルを受信するための受信機と、
自己干渉に関係する値を判断するためのコンピューティングプラットフォームと、
前記サービングノードが、前記第１のユーザ機器による前記送信のために使用されるアップリンク周波数帯域および第１の送信電力レベルが前記ダウンリンクチャネル上でダウンリンク周波数帯域に不十分な減衰を与えると判断するために、前記値に基づいてフィードバックリポートを送信するための送信機と
を備え、
前記受信機がさらに、前記アップリンクチャネルおよび前記ダウンリンクチャネルの一方の上での送信の前記スケジューリングの変更を受信し、
前記変更に従って、前記送信機がさらに、前記アップリンクチャネル上で送信し、前記受信機がさらに、前記ダウンリンクチャネル上で受信する、装置。
［３６］
前記送信機がさらに、前記第１のユーザ機器への自己減感を備える前記不十分な減衰を判断するために前記フィードバックリポートを送信する、［３５］に記載の装置。
［３７］
前記送信機がさらに、十分な減衰をもつ第２の周波数帯域上で送信することによって、前記変更に従って前記アップリンクチャネル上で送信する、［３５］に記載の装置。
［３８］
前記送信機がさらに、送信電力を低減することによって、前記変更に従って前記アップリンクチャネル上で送信する、［３５］に記載の装置。
［３９］
前記送信機がさらに、ダウンリンク基準電力値と、ダウンリンク基準品質値と、アップリンク送信電力値とを含んでいる前記フィードバックリポートを送信する、［３５］に記載の装置。
［４０］
前記送信機がさらに、基準信号受信電力情報と、基準信号受信された品質情報と、アップリンク電力ヘッドルーム情報とを含んでいる前記フィードバックリポートを送信する、［３９］に記載の装置。
［４１］
チャネル間の共存のために不十分な減衰を軽減するための方法であって、
第１のワイヤレスチャネル上での送信を制御する行為と、
前記送信のために使用される周波数帯域および送信電力が第２のワイヤレスチャネルに不十分である減衰を与えると判断する行為と、
前記第２のワイヤレスチャネルに対する前記減衰を増大させるために、前記第１のワイヤレスチャネル上での前記送信を変更する行為と
を実施するために、コンピュータ可読記憶媒体上に記憶されたコンピュータ実行可能命令を実行するプロセッサを採用すること
を備える方法。
［４２］
ユーザ機器をスケジュールすることによって前記第１のワイヤレスチャネル上での前記送信を制御することをさらに備える、［４１］に記載の方法。
［４３］
サービングノードから許可を受信し、前記許可によって与えられた前記第１のワイヤレスチャネル上のリソースを使用することによって、前記第１のワイヤレスチャネル上での前記送信を制御することをさらに備える、［４１］に記載の方法。
［４４］
フィードバックリポートを受信することによって前記減衰を判断することをさらに備える、［４１］に記載の方法。
［４５］
アップリンクチャネルを備える前記第１のワイヤレスチャネル上での前記送信を制御することをさらに備える、［４１］に記載の方法。
［４６］
ダウンリンクチャネルを備える前記第１のワイヤレスチャネル上での前記送信を制御することをさらに備える、［４１］に記載の方法。
［４７］
第１のユーザ機器によって受信される前記第２のワイヤレスチャネルに対する前記減衰を増大させるために、前記第１のユーザ機器によって送信される前記第１のワイヤレスチャネル上での前記送信を変更することをさらに備える、［４１］に記載の方法。
［４８］
第２のユーザ機器によって受信される前記第２のワイヤレスチャネルに対する前記減衰を増大させるために、第１のユーザ機器によって送信される前記第１のワイヤレスチャネル上での前記送信を変更することをさらに備える、［４１］に記載の方法。
［４９］
チャネル間の共存のために不十分である減衰を軽減するためのコンピュータプログラム製品であって、
少なくとも１つのプロセッサによって実行されたとき、
第１のワイヤレスチャネル上での送信を制御するためのコードの第１のセットと、
前記送信のために使用される周波数帯域および送信電力が第２のワイヤレスチャネルに不十分である前記減衰を与えると判断するためのコードの第２のセットと、
前記第２のワイヤレスチャネルに対する前記減衰を増大させるために、前記第１のワイヤレスチャネル上での前記送信を変更するためのコードの第３のセットと
を備える構成要素を実装するコンピュータ実行可能命令を記憶する少なくとも１つのコンピュータ可読記憶媒体
を備えるコンピュータプログラム製品。
［５０］
チャネル間の共存のために不十分な減衰を軽減するための装置であって、
少なくとも１つのプロセッサと、
前記少なくとも１つのプロセッサによって実行されたとき、
第１のワイヤレスチャネル上での送信を制御するための手段と、
前記送信のために使用される周波数帯域および送信電力が第２のワイヤレスチャネルに不十分である減衰を与えると判断するための手段と、
前記第２のワイヤレスチャネルに対する前記減衰を増大させるために、前記第１のワイヤレスチャネル上での前記送信を変更するための手段と
を備える構成要素を実装するコンピュータ実行可能命令を記憶する少なくとも１つのコンピュータ可読記憶媒体と
を備える装置。
［５１］
チャネル間の共存のために不十分である減衰を軽減するための装置であって、
第１のワイヤレスチャネル上での送信を制御するための送信機と、
前記送信のために使用される周波数帯域および送信電力が第２のワイヤレスチャネルに不十分である減衰を与えると判断するためのコンピューティングプラットフォームと
を備え、
前記送信機がさらに、前記第２のワイヤレスチャネルに対する前記減衰を増大させるために、前記第１のワイヤレスチャネル上での前記送信を変更する、装置。
［５２］
ユーザ機器をスケジュールすることによって前記第１のワイヤレスチャネル上での前記送信を制御するためのスケジューラをさらに備える、［５１］に記載の装置。
［５３］
サービングノードから許可を受信するための受信機をさらに備え、前記送信機がさらに、前記許可によって与えられた前記第１のワイヤレスチャネル上のリソースを使用することによって前記第１のワイヤレスチャネル上での前記送信を制御する、［５１］に記載の装置。
［５４］
前記コンピューティングプラットフォームがさらに、フィードバックリポートを受信することによって、不十分である前記減衰を判断する、［５１］に記載の装置。
［５５］
前記コンピューティングプラットフォームがさらに、アップリンクチャネルを備える前記第１のワイヤレスチャネル上での前記送信を制御する、［５１］に記載の装置。
［５６］
前記コンピューティングプラットフォームがさらに、ダウンリンクチャネルを備える前記第１のワイヤレスチャネル上での前記送信を制御する、［５１］に記載の装置。
［５７］
前記送信機がさらに、第１のユーザ機器によって受信される前記第２のワイヤレスチャネルに対する前記減衰を増大させるために、前記第１のユーザ機器によって送信される前記第１のワイヤレスチャネル上での前記送信を変更する、［５１］に記載の装置。
［５８］
前記送信機がさらに、第２のユーザ機器によって受信される前記第２のワイヤレスチャネルに対する前記減衰を増大させるために、第１のユーザ機器によって送信される前記第１のワイヤレスチャネル上での前記送信を変更する、［５１］に記載の装置。
【図１】
0005442750.tif 000005
【図２】
0005442750.tif 000006
【図３】
0005442750.tif 000007
【図４】
0005442750.tif 000008
【図５】
0005442750.tif 000009
【図６】
0005442750.tif 000010
【図７】
0005442750.tif 000011
【図８】
0005442750.tif 000012
【図９】
0005442750.tif 000013
【図１０】
0005442750.tif 000014
【図１１】
0005442750.tif 000015
【図１２】
0005442750.tif 000016
【図１３】
0005442750.tif 000017
【図１４】
0005442750.tif 000018